(57)【要約】【課題】複数の現像剤供給部を搬送する搬送手段によって、複数の現像剤供給部それぞれから現像部材に供給されて残留する現像剤を現像部材から剥離する。【解決手段】回転体６６は、各色の現像剤を現像ロール６８に順次に供給する現像剤供給部８０ａ〜８０ｄが着脱自在に設けられており、回転軸８２を中心として駆動部８３の駆動力により例えば反時計回りに回転させられて、現像剤供給部８０ａ〜８０ｄが現像ロール６８に対向する位置（現像剤供給位置）へ移動するようにされている。現像剤供給部８０ａ〜８０ｄには、現像剤の流出を防止するための開閉部材３００ａ〜３００ｄと、現像ロール６８に残留する現像剤を現像ロール６８に接触することによって掻き取る掻き取り部材３０２ａ〜３０２ｄとが個別に設けられている。【選択図】図２
2009216988.tif 000002
【特許請求の範囲】
【請求項１】
像保持体に現像剤を供給する現像部材と、
異なる色の現像剤を前記現像部材に現像剤供給位置で供給する複数の現像剤供給部と、
前記複数の現像剤供給部をそれぞれ現像剤供給位置へ順次搬送する搬送手段と、
この搬送手段により搬送され、前記現像部材に接触することにより、前記現像部材に残留する現像剤を順次剥離する複数の剥離部と
を有する現像装置。
【請求項２】
前記複数の剥離部は、
前記現像部材に接触することにより、前記複数の現像剤供給部が前記現像部材に現像剤を供給するのを個別に遮断する機能をさらに有する
請求項１記載の現像装置。
【請求項３】
前記搬送手段は、
回転軸を中心にして回転する回転体、又は変位する移動体である
請求項１又は２記載の現像装置。
【請求項４】
前記複数の現像剤供給部が供給する現像剤は、
磁性のキャリアと非磁性のトナーからなり、
前記複数の剥離部は、
前記現像部材に残留する現像剤を剥離する
請求項１乃至３いずれか記載の現像装置。
【請求項５】
前記複数の剥離部は、
それぞれ磁性体からなる
請求項１乃至４いずれか記載の現像装置。
【請求項６】
前記現像部材は、
表面の十点平均粗さがトナーの平均粒径の２分の１未満である、又は中心線平均粗さがトナーの平均粒径の４分の１未満である
請求項４記載の現像装置。
【請求項７】
前記複数の剥離部は、
それぞれ表面が現像剤の付着を防止する被覆層により被覆されている
請求項１乃至６いずれか記載の現像装置。
【請求項８】
前記複数の剥離部が前記現像部材に所定の方向から接触するように案内する案内部材をさらに有する
請求項１乃至７いずれか記載の現像装置。
【請求項９】
像保持体と、
この像保持体に現像剤を供給する現像部材と、
異なる色の現像剤を前記現像部材に現像剤供給位置で供給する複数の現像剤供給部と、
前記複数の現像剤供給部をそれぞれ現像剤供給位置へ順次搬送する搬送手段と、
この搬送手段により搬送され、前記現像部材に接触することにより、前記現像部材に残留する現像剤を順次剥離する複数の剥離部と
を有する画像形成装置。
【発明の詳細な説明】
【技術分野】
【０００１】
本発明は、現像装置及び画像形成装置に関するものである。
【背景技術】
【０００２】
特許文献１は、現像槽が現像状態にあるときには、搬送用マグネットローラの磁極が現像用マグネットローラの磁極とミキシングローラとに接近して位置するように駆動手段を作動させ、現像槽が現像を終了し搬送用マグネットローラが現像用マグネットローラ上の現像剤を回収した後は搬送用マグネットローラの磁極がミキシングローラから遠ざかる位置に位置するように駆動手段を作動させる電子写真装置の現像装置を開示する。また、特許文献２は、現像剤担持体上の現像処理済みの現像剤を剥ぎ取り手段により剥ぎ取り、剥ぎ取られた現像剤を回収して現像剤供給部の非画像形成領域の下流部に搬送する現像装置を開示する。
【０００３】
【特許文献１】実公平８−５４７９号公報
【特許文献２】特開２００２−１４８９２１号公報
【発明の開示】
【発明が解決しようとする課題】
【０００４】
本発明は、複数の現像剤供給部を搬送する搬送手段によって、複数の現像剤供給部それぞれから現像部材に供給されて残留する現像剤を現像部材から剥離することができる現像装置及び画像形成装置を提供することを目的とする。
【課題を解決するための手段】
【０００５】
上記目的を達成するため、請求項１に係る本発明は、像保持体に現像剤を供給する現像部材と、異なる色の現像剤を前記現像部材に現像剤供給位置で供給する複数の現像剤供給部と、前記複数の現像剤供給部をそれぞれ現像剤供給位置へ順次搬送する搬送手段と、この搬送手段により搬送され、前記現像部材に接触することにより、前記現像部材に残留する現像剤を順次剥離する複数の剥離部とを有する現像装置である。
【０００６】
請求項２に係る本発明は、前記複数の剥離部が、前記現像部材に接触することにより、前記複数の現像剤供給部が前記現像部材に現像剤を供給するのを個別に遮断する機能をさらに有する請求項１記載の現像装置である。
【０００７】
請求項３に係る本発明は、前記搬送手段が、回転軸を中心にして回転する回転体、又は変位する移動体である請求項１又は２記載の現像装置である。
【０００８】
請求項４に係る本発明は、前記複数の現像剤供給部が供給する現像剤が、磁性のキャリアと非磁性のトナーからなり、前記複数の剥離部は、前記現像部材に残留する現像剤を剥離する請求項１乃至３いずれか記載の現像装置である。
【０００９】
請求項５に係る本発明は、前記複数の剥離部は、それぞれ磁性体からなる請求項１乃至４いずれか記載の現像装置である。
【００１０】
請求項６に係る本発明は、前記現像部材が、表面の十点平均粗さがトナーの平均粒径の２分の１未満である、又は中心線平均粗さがトナーの平均粒径の４分の１未満である請求項４記載の現像装置である。
【００１１】
請求項７に係る本発明は、前記複数の剥離部が、それぞれ表面が現像剤の付着を防止する被覆層により被覆されている請求項１乃至６いずれか記載の現像装置である。
【００１２】
請求項８に係る本発明は、前記複数の剥離部が前記現像部材に所定の方向から接触するように案内する案内部材をさらに有する請求項１乃至７いずれか記載の現像装置である。
【００１３】
請求項９に係る本発明は、像保持体と、この像保持体に現像剤を供給する現像部材と、異なる色の現像剤を前記現像部材に現像剤供給位置で供給する複数の現像剤供給部と、前記複数の現像剤供給部をそれぞれ現像剤供給位置へ順次搬送する搬送手段と、この搬送手段により搬送され、前記現像部材に接触することにより、前記現像部材に残留する現像剤を順次剥離する複数の剥離部とを有する画像形成装置である。
【発明の効果】
【００１４】
請求項１に係る本発明によれば、複数の現像剤供給部を搬送する搬送手段によって、複数の現像剤供給部それぞれから現像部材に供給されて残留する現像剤を現像部材から剥離することができる。
【００１５】
請求項２に係る本発明によれば、請求項１に係る本発明の効果に加えて、複数の現像剤供給部を搬送する搬送手段によって、複数の現像剤供給部が現像部材に現像剤を供給することを個別に遮断することができる。
【００１６】
請求項３に係る本発明によれば、請求項１又は２に係る本発明の効果に加えて、搬送手段を容易に構成することができる。
【００１７】
請求項４に係る本発明によれば、請求項１乃至３いずれかに係る本発明の効果に加えて、本構成を有していない場合に比較して、現像剤を効率的に剥離することができる。
【００１８】
請求項５に係る本発明によれば、請求項１乃至４いずれかに係る本発明の効果に加えて、本構成を有していない場合に比較して、現像剤を効率的に剥離することができる。
【００１９】
請求項６に係る本発明によれば、請求項４に係る本発明の効果に加えて、本構成を有していない場合に比較して、トナーを効率的に剥離することができる。
【００２０】
請求項７に係る本発明によれば、請求項１乃至６いずれかに係る本発明の効果に加えて、本構成を有していない場合に比較して、現像剤が剥離部に付着することを防止することができる。
【００２１】
請求項８に係る本発明によれば、請求項１乃至７いずれかに係る本発明の効果に加えて、本構成を有していない場合に比較して、剥離部が現像部材を傷つけることを低減することができる。
【００２２】
請求項９に係る本発明によれば、複数の現像剤供給部を搬送する搬送手段によって、複数の現像剤供給部それぞれから現像部材に供給されて残留する現像剤を現像部材から剥離することができる。
【発明を実施するための最良の形態】
【００２３】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００２４】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００２５】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００２６】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００２７】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００２８】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００２９】
現像装置３４には、例えば感光体からなる像保持体３６が画像形成装置１０の正面側上方から当接するように配置されている。像保持体３６は、時計回り（図１において右回り）に回転するようにされている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００３０】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００３１】
中間転写装置４４は、例えば中間転写ベルトなどの中間転写体４６、一次転写ロール４８、支持ロール５０，５２、二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００３２】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００３３】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００３４】
また、画像形成装置１０の内部には、画像形成装置１０を構成する各部を制御する制御部６２が設けられている。
【００３５】
次に、現像装置３４の第１の実施例について説明する。
図２は、現像装置３４の第１の実施例を示す側面図である。図２に示すように、現像装置３４は、回転体（搬送部）６６、現像ロール６８、層厚規制部材７０、現像ロール収容壁７４及び現像剤供給部８０ａ〜８０ｄを有する。
以下、現像剤供給部８０ａ〜８０ｄなど複数ある構成部分のいずれかを特定せずに示す場合には、単に「現像剤供給部８０」などと略記することがある。
【００３６】
回転体６６は、イエロー（Ｙｅｌｌｏｗ）、マゼンタ（Ｍａｇｅｎｔａ）、シアン（Ｃｙａｎ）及び黒（Ｂｌａｃｋ）の現像剤を現像ロール６８に順次に供給する現像剤供給部８０ａ〜８０ｄが着脱自在に設けられており、回転軸８２を中心として駆動部８３の駆動力により例えば反時計回り（図２において左回り）に回転させられて、現像剤供給部８０ａ〜８０ｄが現像ロール６８に対向する位置（現像剤供給位置）へ移動するようにされている。
なお、現像剤供給部８０ａ〜８０ｄが収容している現像剤は、例えば非磁性のトナー及び磁性のキャリアを有する２成分現像剤である。
【００３７】
現像剤供給部８０は、供給器本体９４を有し、この供給器本体９４内に第１の攪拌搬送部材９６及び第２の攪拌搬送部材９８が設けられている。第１の攪拌搬送部材９６は、現像剤を攪拌しつつ第２の攪拌搬送部材９８へ向けて搬送する。第２の攪拌搬送部材９８は、現像剤を攪拌するとともに現像ロール６８に供給する。また、現像剤供給部８０には、現像剤の流出を防止するための開閉部材３００と、現像ロール６８に残留する現像剤を現像ロール６８に接触することによって掻き取る掻き取り部材３０２とが設けられている。掻き取り部材３０２は、例えば磁性体からなる。
【００３８】
現像ロール６８と掻き取り部材３０２とが接触する位置の近傍（回転体６６の回転方向上流側）には、掻き取り部材３０２が現像ロール６８を傷つけないように、現像ロール６８に対して掻き取り部材３０２が所定の方向から接触するよう掻き取り部材３０２を案内する案内部材３０３が設けられている。
【００３９】
図３は、現像ロール６８の表面に残留する現像剤を掻き取り部材３０２が掻き取る状態を示す拡大図である。
掻き取り部材３０２は、表面が現像剤の付着を防止する被覆層により被覆（表面処理）されている。例えば、掻き取り部材３０２の被覆層は、テトラへデラルアモルファスカーボン膜（ｔａ−Ｃ膜）、ダイヤモンドライクカーボン膜（ＤＬＣ膜）、立方晶窒化ホウ素膜（Ｃ−ＢＮ膜）、炭化珪素膜（ＳｉＣ膜）、窒化クロム膜（ＣｒＮ膜）、タングステンカーボン膜（Ｗ−Ｃ膜）又はその他の金属蒸着膜（Ｔｉ等）などからなる。
【００４０】
現像ロール６８は、掻き取り部材３０２によってトナーを剥離させるために、表面の凹凸からトナーが半分以上露出するようにされている。例えば、トナーの平均粒径をΦｄ＝５μｍとした場合、現像ロール６８は、表面粗さが下式１又は下式２に示された値にされる。
【００４１】
十点平均粗さ    Ｒｚ＜ｄ／２  ＝５μｍ／２  ＝２．５μｍ
Ｒｚ＜２．５μｍ      ・・・（１）
【００４２】
中心線平均粗さ  Ｒａ＜ｄ／４  ＝５μｍ／４  ＝１．２５μｍ
Ｒａ＜１．２５μｍ      ・・・（２）
【００４３】
なお、掻き取り部材３０２は、案内部材３０３に案内された後に、所定の方向から現像ロール６８に接触するように撓む部材であってもよい。
【００４４】
このように、現像剤供給部８０は、現像剤を供給した後に現像ロール６８に残留する現像剤を回収して再利用できるようにされている。
【００４５】
現像ロール６８（図２）は、軸方向に延びた磁石部材を内部に備えて反時計回り（図２において左回り）に回転するようにされている。また、現像ロール６８は、像保持体３６に対向する部分が露出するように開口された現像ロール収容壁７４内に収容されており、像保持体３６との間に所定の隙間を形成しつつ、磁力によって保持したそれぞれの色の現像剤を像保持体３６に供給する。
【００４６】
層厚規制部材７０は、現像ロール６８の表面に付着した（現像ロール６８が保持した）現像剤の層厚を規制する。
【００４７】
図４は、現像装置３４の第１の実施例の動作例を示す概略図である。図４（Ａ）に示すように、現像装置３４が例えばマゼンタの現像剤で静電潜像を可視化する場合、現像ロール６８は、現像剤供給位置に位置する現像剤供給部８０ｂから供給されるマゼンタの現像剤を保持して回転する。
【００４８】
マゼンタの現像剤での可視化が終了すると、現像装置３４は、図４（Ｂ）に示すように、制御部６２の制御により、回転体６６が例えば２０度回転することによって現像剤供給部８０ｂの開閉部材３００が移動するとともに、掻き取り部材３０２が案内部材３０３に案内されて現像ロール６８の表面に接触し、現像ロール６８に残留する現像剤を掻き取る。掻き取り部材３０２が掻き取った現像剤は、現像剤供給位置とは異なる位置で供給器本体９４内に回収される。
また、掻き取り部材３０２が現像ロール６８の表面に接触することにより、現像剤供給部８０から現像ロール６８への現像剤の供給が遮断されている。
【００４９】
現像ロール６８から剥離されたマゼンタの現像剤が回収されると、図４（Ｃ）に示すように、現像装置３４は、シアンの現像剤で静電潜像を可視化するために、現像剤供給部８０ｃが現像ロール６８に対向するように回転体６６が７０度回転する。ここで、現像ロール６８は、現像剤供給部８０ｃから供給されるシアンの現像剤を保持して回転する。
【００５０】
次に本発明の実施形態の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００５１】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤供給部８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤供給部８０に回収される。一次転写において、像保持体３６に残留する廃現像剤は、像保持体用クリーナ４０によって掻き取られ、回収される。
【００５２】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００５３】
現像剤像を転写された用紙は、定着装置２８に導かれ、加熱ロールと加圧ロールとによって現像剤像を定着される。現像剤像が定着した用紙は、排出ロール３２により排出口２６から排出される。
【００５４】
次に、現像装置３４の第２の実施例について説明する。
図５は、現像装置３４の第２の実施例を示す側面図である。なお、現像装置３４の第２の変形例において、図２に示した現像装置３４の第１の実施例を構成する部分と実質的に同一のものには、同一の符号が付してある。
図５に示すように、現像剤供給部８０には、現像剤の流出を防止するための開閉部材３００が設けられている。また、例えば回転体６６には、現像剤供給部８０ａ〜８０ｄに各色の現像剤をそれぞれ供給するトナーカートリッジ７８ａ〜７８ｄと、現像ロール６８に残留する現像剤を掻き取る掻き取り部材３０４とが設けられている。なお、トナーカートリッジ７８ａ〜７８ｄは、掻き取り部材３０４が掻き取った各色の現像剤をそれぞれ回収可能にされている。
【００５５】
図６は、現像装置３４の第２の実施例の動作例を示す概略図である。図６（Ａ）に示すように、現像装置３４が例えばマゼンタの現像剤で静電潜像を可視化する場合、現像ロール６８は、現像剤供給位置に位置する現像剤供給部８０ｂから供給されるマゼンタの現像剤を保持して回転する。
【００５６】
マゼンタの現像剤での可視化が終了すると、現像装置３４は、図６（Ｂ）に示すように、制御部６２の制御により、回転体６６が例えば５３度回転することによって現像剤供給部８０ｂの開閉部材３００が閉じられるとともに、掻き取り部材３０４が現像ロール６８の表面に接触し、現像ロール６８に残留する現像剤を掻き取る。掻き取り部材３０４が掻き取った現像剤は、現像剤供給位置とは異なる位置でトナーカートリッジ７８に回収される。
また、掻き取り部材３０４が現像ロール６８の表面に接触することにより、現像剤供給部８０から現像ロール６８への現像剤の供給が遮断されている。
【００５７】
現像ロール６８から剥離されたマゼンタの現像剤が回収されると、図６（Ｃ）に示すように、現像装置３４は、シアンの現像剤で静電潜像を可視化するために、現像剤供給部８０ｃが現像ロール６８に対向するように回転体６６が３７度回転する。ここで、現像ロール６８は、現像剤供給部８０ｃから供給されるシアンの現像剤を保持して回転する。
【図面の簡単な説明】
【００５８】
【図１】本発明の実施形態に係る画像形成装置の概要を示す側面図である。
【図２】現像装置の第１の実施例を示す側面図である。
【図３】現像ロールのスリーブの表面に残留する現像剤を掻き取り部材が掻き取る状態を示す拡大図である。
【図４】現像装置の第１の実施例の動作例を示す概略図である。
【図５】現像装置の第２の実施例を示す側面図である。
【図６】現像装置の第２の実施例の動作例を示す概略図である。
【符号の説明】
【００５９】
１０    画像形成装置
３４    現像装置
３６    像保持体
６２    制御部
６６    回転体
６８    現像ロール
７０    層厚規制部材
７８ａ〜７８ｄ    トナーカートリッジ
８０ａ〜８０ｄ    現像剤供給部
８２    回転軸
８３    駆動部
９４    収容器本体
９６ａ〜９６ｄ    第１の攪拌搬送部材
９８ａ〜９８ｄ    第２の攪拌搬送部材
３００    開閉部材
３０２    掻き取り部材
３０３    案内部材
３０４    掻き取り部材
【図１】
2009216988.tif 000003
【図２】
2009216988.tif 000004
【図３】
2009216988.tif 000005
【図４】
2009216988.tif 000006
【図５】
2009216988.tif 000007
【図６】
2009216988.tif 000008